【事件の表示】
　特許第２８６０９８５号「原稿読み取り装置」の特許に対する特許異議の申立てについて、次のとおり決定する。
【結　論】
　訂正を認める。
　特許第２８６０９８５号の特許を維持する。
【理　由】
１．手続きの経緯
　特許第２８６０９８５号の請求項１に係る発明は、昭和６３年１月２９日に特許出願がなされたものであって、平成１０年１２月１１日にその発明についての特許権の設定登録がなされ、その後、シャープ株式会社より請求項１に係る特許に対して特許異議の申立てがなされ、当審より本件明細書の特許請求の範囲請求項１中に不明りょうな記載があって発明の構成に不可欠の事項の全てが明記されていない旨の取消理由通知がなされ、その意見書提出指定期間内に特許権者より明細書についての訂正請求がなされたものである。
　
２．訂正の適否についての判断
　ア．訂正の内容
　特許権者が求めている訂正の内容は、次のとおりである。
　訂正事項ａ　特許明細書中の特許請求の範囲の請求項１について、
「原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
以上記憶する複数のラインメモリと、
を、
「原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶するラインメモリと、
前記変倍率設定手段により設定された変倍率に応じて前記ラインメモリの読み出しを制御する読み出し制御手段と、
と訂正する。
　訂正事項ｂ　特許明細書第３頁第９行ないし第４頁第２行（特許掲載公報第２頁左欄第１６行ないし第３２行）の
「本発明は上記目的を達成させるもので、原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
以上記憶する複数のラインメモリと、
を
「本発明は上記目的を達成させるもので、原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶するラインメモリと、
前記変倍率設定手段により設定された変倍率に応じて前記ラインメモリの読み出しを制御する読み出し制御手段と、
と訂正する。
　イ．訂正の目的の適否、拡張・変更の有無
　上記訂正内容のうち訂正事項ａについては、上記訂正後の下線を施した部分のうちの前の方の記載内容は、その後に記載されているラインメモリに関する限定事項と整合させるものであり、上記訂正後の下線を施した部分のうちの後の方の記載内容は、他のラインメモリに補間データを書き込むようにした技術的意義を生じさせるために当然具備しているべき事項を記載したものと認められるから、いずれも明りょうでない記載の釈明を目的とするものであり、また、訂正事項ｂについては、訂正事項ａの訂正内容と整合させるものであり、これも明りょうでない記載の釈明を目的とするものであって、これらはいずれも新規事項の追加に該当せず、実質上特許請求の範囲を拡張するものとも変更するものとも認められない。
　ウ．むすび
　したがって、本件訂正請求は、特許法第１２０条の４第２項及び同第３項で準用する第１２６条第２〜３項の規定に適合するので、本件訂正を認める。
　
３．特許異議の申立てについての判断
　ア．特許異議の申立ての理由の概要
　異議申立人シャープ株式会社は、本件請求項１に係る発明は、甲第１号証（特開昭６２−２５６１７９号公報）に記載された発明に基づいて、または、甲第１号証および甲第２号証（特開昭６０−１１４０８２号公報）にそれぞれ記載された発明に基づいて当業者が容易に発明をすることができたものであるから、特許法第２９条第２項の規定により特許をうけることができないものであって、いずれにしても本件請求項１に係る特許は、同法第１１３条第１項第２号の規定により取り消されるべきものである旨主張している。
  イ．本件発明
　本件請求項１に係る発明の要旨は、上記２．ア．訂正事項ａにおける訂正後の記載のとおりと認められる。
　ウ．判断
　そこで、特許異議の申立ての理由の当否について判断する。
　まず、甲第１号証および甲第２号証にそれぞれ記載されている発明について検討する。
　甲第１号証には、ディジタルコピア、ファクシミリあるいはその他の画像処理装置等に用いる画像データの変倍処理装置に係る発明が開示されており、明細書および図面の記載によれば、変倍処理に関しては、１ラインの原画像データをバッファメモリに格納しその読み出しアドレスをコントロールして原画像データの読み出しサンプリングを行って、主走査方向の変倍画像データを得るようにしているものであって、(1)読み取り光学系として密着型イメージセンサを用いて原稿の光信号を電気信号に変換すること、(2)１ラインのデータを読み終わるとイメージセンサなどを一体とするキャリッジが矢印（副走査方向Ｙ）の方向に駆動され、次のラインが読まれること、(3)イメージセンサで得られた電気信号は、Ａ／Ｄ変換器でディジタル信号即ち画像データに変換されること、(4)このＡ／Ｄ変換器で変換された画像データを１ライン分記憶するラインメモリとしてのＲＡＭを２個備えること、(5)変倍率は１を最小単位とする任意の数および範囲に設定し得ること、(6)画像データの上記ＲＡＭへの書き込み動作と変倍率に応じてＲＡＭからの読み出しを制御するサンプリング回路を備えていること、(7)読み出された画像データの隣り合う２つの画素から近接画素距離線形配分法によって間の画素を演算する手段を備えていること、(8)副走査方向の変倍は、変倍率に応じて移動体の速度を変化させることにより行えること、が開示されているということができる。
　また、甲第２号証には、主走査方向と副走査方向各々を独立に変倍可能な変倍手段を有し、この変倍手段に係る主走査、副走査方向各々の倍率を共通の表示器により切換え表示する手段を有する画像処理装置に係る発明が開示されており、主走査方向の変倍は、一定周波数で出力されてくる読み取り手段たるＣＣＤのシリアル信号（Ａ／Ｄ変換後）を倍率に応じたクロック・レートでサンプリングする方法で行うようにしたものであって、実施例に関する説明には、ＣＣＤで原稿を読み取ること、副走査はミラーからなる光学ユニットを駆動するようにするものであること、ＣＣＤの出力のＡ／Ｄ変換後のシリアル信号がシフトレジスタに入力されること、１０キーなどにより変倍率を設定できること、変倍は一定周波数で出力されてくるＣＣＤのシリアル信号を倍率に応じたクロックレイトでサンプリングすることにより行うものであること、副走査方向の変倍は、光学系を駆動するサーボモータの速度を制御することにより行うこと、が開示されているということができる。
　そこで、本件請求項１に係る発明と甲第１号証に開示された発明とを対比すると、前者は「原画像データを１ライン分記憶するラインメモリに記憶されたデータを補間して作成されたデータを記憶するラインメモリ」を有し、「この原画像データが書き込まれたラインメモリから原画像データを読み出して隣合う２つの画素から内分法により３画素以上の画素データを作成して他のラインメモリにこの補間データを書き込む動作」をさせて、「変倍率設定手段により設定された変倍率に応じて前記ラインメモリの読み出しを制御する」如く構成したものであるのに対して、後者は、ラインメモリに読み込んだデータを変倍率に応じて読み出すようにし、その読み出した画像データに補間処理を施すようにしたものである点で相違する。
　そこでこの相違点による作用効果の差異について検討すると、後者においては変倍率が１００％未満のときはラインメモリに読み取ったデータを間引いて得てからそれを補間することとなって、変倍率値によっては画質が劣化する事態が発生することが考えられるのに対して、前者は読み取ったデータに更に補間データを加えたデータを作ってこれをメモリに記憶するようにし、これを変倍率に応じて読み出すものであるから、変倍率値がいくつであっても読み取ったデータに対して画像が劣化する事態が発生することは理論上あり得ないことは明らかである。
　また、甲第２号証のものは、メモリに相当するシフトレジスタに入力する段階で変倍処理がなされるものであって、その明細書および図面を通してみても、２つのラインメモリを備えていて、先に第１のラインメモリに読み込んだデータを読み出してこれから補間データを作ってそれを第２のラインメモリに記憶させ、その読み出しを制御することによって変倍画像を得る点は、明記も示唆もなされていない。
　従って、本件請求項１に係る発明は、甲第１号証に記載された発明から容易に為し得たものとはいえないのみならず、甲第１号証に開示された発明と甲第２号証に開示された発明を組み合わせても、本件請求項１に係る発明の、２つのラインメモリを備えていて、先に第１のラインメモリに読み込んだデータを読み出してこれから補間データを作ってそれを第２のラインメモリに記憶させ、その読み出しを制御することによって変倍画像を得るという点は得られようがないから、甲第１号証および甲第２号証にそれぞれ記載された発明から当業者が容易に発明をすることができたものともいうことができない。
　
４．むすび
　以上から明らかなように、特許異議の申立ての理由及び証拠によっては本件請求項１に係る特許を取り消すことができず、また、他に本件請求項１に係る特許を取り消すべき理由は発見できない。
　よって、結論のとおり決定する。
【異議決定日】
平成１２年９月４日（２０００．９．４）
【訂正の要旨】
　訂正事項ａ　特許明細書中の特許請求の範囲の請求項１について、明りょうでない記載の釈明を目的として
「原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
以上記憶する複数のラインメモリと、
「原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶するラインメモリと、
前記変倍率設定手段により設定された変倍率に応じて前記ラインメモリの読み出しを制御する読み出し制御手段と、
と訂正する。
　訂正事項ｂ　明りょうでない記載の釈明を目的として、特許明細書第３頁第９行ないし第４頁第２行（特許掲載公報第２頁左欄第１６行ないし第３２行）の
「本発明は上記目的を達成させるもので、原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
以上記憶する複数のラインメモリと、
を
「本発明は上記目的を達成させるもので、原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶するラインメモリと、
前記変倍率設定手段により設定された変倍率に応じて前記ラインメモリの読み出しを制御する読み出し制御手段と、
と訂正する。
（５４）【発明の名称】
原稿読み取り装置
（５７）【特許請求の範囲】
　【請求項１】原稿を光電的に読み取る光電変換素子と、この光電変換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶する
前記変倍率設定手段により設定された変倍率に応じて前記ラインメモリの読み出しを制御する読み出し制御手段と、
【発明の詳細な説明】
産業上の利用分野
　本発明は原稿読み取り装置に関するもので、特に変倍機能を有する原稿読み取り装置に関する。
従来の技術
　原稿読み取り装置の出力装置として例えばＣＲＴを挙げると主走査方向、副走査方向ともに表示できる画素数が限られている。その限られた領域を有効に利用するには任意に変倍率が設定できなくてはならない。これに対して従来の原稿読み取り装置における変倍は主走査方向に関していえば結像光学系を機構的に移動させて倍率を変え変倍画像を得る方法、または原画像データの２ドットのうち１ドットを間引いたり２ドットのうち１ドットを重ねて出したりして変倍画像を得る方法等があった。副走査方向に関していえば副走査駆動手段の速度を変えて変倍するが、その方法としてステッピングモータの相の多いものを用いたり、機構的にギヤ比に変えたりしていた。
発明が解決しようとする課題
　しかし従来の構成によれば主走査方向、副走査方向ともに変倍率を設定する範囲に限界があり、任意に変倍率を変えるのに充分なものとはいえなかった。また変倍をするときに結像光学系や副走査駆動手段のギヤを機構的に移動しなければならないので複雑な構成になっていた。
　本発明はかかる点に鑑みてなされたもので、簡単な構成で任意変倍ができる原稿読み取り装置を提供することを目的とする。
課題を解決するための手段
　本発明は上記目的を達成させるもので、原稿を光電的に読み取る光電変換素子と、この光電交換素子と原稿とを相対的に移動させる副走査駆動手段と、前記光電変換素子の出力をＡ／Ｄ変換するＡ／Ｄ変換器と、このＡ／Ｄ変換器の原画像データを１ライン分
記憶するラインメモリと、前記ラインメモリに記憶されたデータを補間して作成されたデータを記憶する
作用
　本発明は上記した構成で、主走査方向は書き込み制御手段によりラインメモリに順次アドレスが与えられてＡ／Ｄ変換後の原画像データが１ライン分記憶されるとともにこのラインメモリから原画像データが読み出され、隣合う２つの画素から内分法により３画素以上の画像データが作成されて他のラインメモリにこの補間データが記憶される。その後読み出し制御手段により変倍率に応じたアドレスがラインメモリに与えられ変倍された画像データが得られる。副走査方向は副走査駆動制御手段により変倍率に応じた速度にＰＬＬ制御され変倍される。
実施例
　第１図は本発明の一実施例を示す原稿読み取り装置のブロック図を示すものである。第１図において１は原稿、２は原稿１を光電的に読み取る光学系ユニットであり光源２ａとレンズ２ｂ及び光電変換素子２ｃとから構成されている。３は原稿１と光学系ユニット２を相対的に移動させる副走査駆動手段、３は光電交換素子２ｃの出力をアナログ−デジタル変換するＡ／Ｄ変換器である。４は第１の切替え手段、５はＡ／Ｄ変換器の出力である原画像データを１ライン分以上記憶できるラインメモリ、６は例えばＣＲＴ等の出力装置、７は第２の切替え手段、８はラインメモリ５の書き込みを制御する書き込み制御手段、９は任意に変倍率を設定する変倍率設定手段、１０は変倍率設定手段７で設定された変倍率に応じてラインメモリ５の読み出しを制御する読み出し制御手段であり、変倍率設定手段９より与えられる変倍率の平方根の逆数である変倍係数を発生する変倍係数発生手段１０ａと、アップカウンタ１０ｂと、変倍係数発生手段１０ａで発生された変倍係数とアップカウンタ１０ｂの出力を乗算する乗算器１０ｃと、ラインメモリ５の最大アドレス値を発生する最大アドレス値発生手段１０ｄと乗算器１０ｃの出力と最大アドレス値発生手段１０ｄで発生された最大アドレス値とを比較し乗算器１０ｃの出力が最大アドレス値を上回ったときにある信号を発生するコンパレータ１０ｅとから構成されている。そして変倍率とは（変倍画像の面積）／（原画像の面積）であり、変倍係数とは（変倍画像の主（副）走査方向の長さ）／（原画像の主（副）走査方向の長さ）の逆数に相当する。
　ここで第１の切替え手段４はＡ／Ｄ変換器３の出力である原画像データをラインメモリ５に書き込む時にＡ／Ｄ変換器３とラインメモリ５を接続し、読み出す時にラインメモリ５と出力装置６を接続する。また、第２の切替え手段７は第１の切替え手段４と連動し原画像データをラインメモリ５に書き込む時にラインメモリ５と書き込み制御手段８を接続し、読み出す時にラインメモリ５と読み出し制御手段１０を接続する。ｌｌは変倍率設定手段９で発生された変倍率に応じて副走査駆動手段３の駆動を制御する副走査駆動制御手段、１２は原稿１と光学系ユニット２を相対的に移動させる副走査駆動手段であり、変倍係数発生手段１０ａで発生された変倍係数に応じた基準周波数の信号を発生する基準周波数発生手段１１ａと基準周波数発生手段１１ａの出力信号を基準とし副走査駆動手段１２をＰＬＬ制御するＰＬＬ制御手段１１ｂとから構成されている。１０１は原画像データ、１０２は変倍画像データである。
　第２図は本実施例の動作を説明するタイミングチャートである。第２図において（ａ）は書き込み制御手段からラインメモリに与えられる書き込みアドレス、（ｂ）はラインメモリに書き込まれる原画像データ、（ｃ）は書き込み制御手段から出力される切替え信号、（ｄ）はラインメモリから読み出される変倍画像データ、（ｅ）は読み出し制御手段からラインメモリに与えられる読み出しアドレス、（ｆ）は読み出し制御手段より出力される切替え信号である。
第２図において０００ｈのｈは１６進数を示し、Ｘｌ、Ｘ２、・・・、Ｘ１７２８はそれぞれ１画素目のデータ、２画素目のデータ、・・・、１７２８画素目のデータを示す。
　第３図は本実施例における変倍の動作を詳しく説明するラインメモリの内部状態を示す図である。
　以上のように構成された本実施例の原稿読み取り装置において、以下第１図、第２図及び第３図を用いてその動作を説明する。なお、本実施例における原稿読み取り装置は原稿サイズをＡ４、解像度８ｄｏｔ／ｍｍで原稿の短手方向を主走査方向として読み取るものとし、Ａ４全領域に対する変倍率を１６％とする。
　原稿１が光源２ａに照射されその反射光がレンズ２ｂによって光電変換素子２ｃに結像され、光信号が電気信号に変換される。光電変換素子２ｃの出力がＡ／Ｄ変換器３でＡ／Ｄ変換され原画像データを得る。このとき第１の切替え手段４はＡ／Ｄ変換器３とラインメモリ５を、第２の切替え手段７はラインメモリ５と書き込み制御手段８とを接続している。書き込み制御手段８よりラインメモリ５に第２図（ａ）に示すように書き込みアドレスが順次与えられ第２図（ｂ）に示すデータを第３図に示すように０００ｈ番地に１画素目のデータ、００１ｈ番地に２画素目のデータ、・・・６ＢＦｈ番地に１７２８画素目のデータが格納されて１ライン分の原画像データが記憶される。１ライン分の原画像データがラインメモリ５に記憶されると書き込み制御手段８から第２図（ｃ）に示すように切替え信号が発生し第１の切替え手段４は出力装置６とラインメモリ５を、第２の切替え手段７はラインメモリ５と読み出し制御手段１０とを接続するように切替えられる。その後、変倍率設定手段９にあらかじめ設定された変倍率１６％が変倍係数発生手段１０ａに与えられ変倍係数発生手段１０ａからこの値の平方根の逆数である変倍係数＝１／０．１６１／２＝２．５が出力される。この変倍係数とアップカウンタ１０ｂからのアドレス値である０００ｈ、００１ｈ、００２ｈ・・・が乗算器１０ｃで乗算されてラインメモリ５に第２図（ｄ）に示すように読み出しアドレスとして０００ｈ番地、００２ｈ番地、００５ｈ番地、・・・６ＢＥｈ番地が与えられラインメモリ５から第２図（ｅ）に示すような変倍画像データ１０２が１画素目のデータ、３画素目のデータ、６画素目のデータ、・・・１７２７画素目のデータの順に読み出され次段の出力装置６に与えられる。この読み出し動作を繰返し１ラインの変倍画像データを得るが、この読み出し動作を行う前に常に乗算器１０ｃの出力と最大アドレス値発生手段１０ｄの最大アドレス値（６ＢＦｈ）がコンパレータ１０ｅで比較され乗算器１０ｃの出力が最大アドレス値を上回ったとき１ライン分の変倍が終了したと判断し、第２図（ｆ）に示すような切替え信号を発生して第１の切替え手段４及び第２の切替え手段７とを切替えてそれぞれＡ／Ｄ変換器３とラインメモリ５及びラインメモリ５と書き込み制御手段８を接続し、上記動作を繰返す。このようにして１ライン分の変倍画像データを得る。
　次に副走査方向の変倍は、基準周波数発生手段１１ａが変倍係数発生手段１０ａより変倍係数（２．５）が与えられ等倍時に発生する周波数の２．５倍の周波数の基準信号を発生しＰＬＬ制御手段１１ｂに与える。ＰＬＬ制御手段１１ｂはこの基準信号により副走査駆動手段１２をＰＬＬ制御し、等倍時の速度の２．５倍の速度に保つ。副走査駆動手段１２は等倍時の２．５の速度で光学系ユニット２を矢印Ａの方向に移動させ副走査方向の変倍を行う。
　このようにして主走査方向、副走査方向ともに４０％の変倍率で変倍され、原画像に対して面積比１６％の変倍率の画像を得る。
　以上縮小変倍の場合を説明したが拡大変倍の場合も同様に変倍される。変倍率を２５６％とすると変倍率設定手段９に設定された変倍率２５６％が変倍係数発生手段１０ａに与えられ変倍係数発生手段１０ａからこの値の平行根の逆数である変倍係数＝１／２．５６１／２＝０．６２５が出力される。この変倍係数とアップカウンタ１０ｂからのアドレス値である０００ｈ、００１ｈ、００２ｈ・・・が乗算器１０ｃで乗算されてラインメモリ５に読み取りアドレスとして０００ｈ番地、０００ｈ番地、００１ｈ番地、００１ｈ番地、・・・が与えられラインメモリ５から変倍画像データが読み出され次段の出力装置６に与えられる。あとの動作は同じである。
　次に副走査方向の変倍も同じで、基準周波数発生手段１１ａが変倍係数発生手段１０ａより変倍係数（０．６２６）が与えられ等倍時に発生する周波数の０．６２５倍の周波数の基準信号を発生しＰＬＬ制御手段１１ｂに与える。ＰＬＬ制御手段１１ｂはこの基準信号により副走査駆動手段１２をＰＬＬ制御し、等倍時の速度の０．６２５倍の速度に保つ。副走査駆動手段１２は等倍時の０．６２５倍の速度で光学系ユニット２を矢印Ａの方向に移動させ副走査方向の変倍を行う。
　本実施例ではラインメモリが１個の場合を説明したが２個以上の場合でも同じである。特にラインメモリを２個以上使用した場合は、上記動作のうち１個のラインメモリを書き込み動作に使用し、他のラインメモリを読み出し動作に使用して１ライン毎に切替えるようにすると本実施例より高速に変倍をすることができる。
　また本実施例ではＡ４サイズ全領域に対して変倍を行うものとして原稿読み取り装置を構成しているが、任意の原稿サイズあるいは部分領域に対応させるために何等かの方法で原稿サイズの検出あるいは部分領域の指定を行う。即ち、変倍領域の検出あるいは指定をする。そして主走査方向はあらかじめ設定された変倍率及び変倍領域から１ライン内に出力される変倍画像データのデータ数を算出し、ラインメモリから出力される変倍画像データのデータ数を計算して前記算出されたデータ数だけ出力したときに次のラインの変倍処理を行うようにし、副走査方向はあらかじめ設定された変倍率及び変倍領域から副走査駆動速度と送り長さとを算出し、前記算出された速度で前記算出された長さだけ送ると読み取り動作を終了するようにして無駄な読み取り領域及び読み取りデータを出力しないようにしてもよい。
　さらに本実施例では主走査方向を変倍をするときに変倍率に応じて画素を間引いたり、重ね打ちをするため変倍率の大きいとき及び小さいときに変倍画像が劣化するおそれがあるが、これに対して次のような補間処理を行ってもよい。
　第４図は主走査方向の画素の補間処理を説明する線図である。第４図において（ａ）は読み取り画素と補間後の画素の位置関係を示すもので、Ｘ１、Ｘ２、・・・は実際に読み取る画素でありそれぞれ１画素目、２画素目、・・・である。Ｙ１、Ｙ２、・・・はＸ１、Ｘ２、・・・から補間処理により得られる画素である。
（ｂ）は読み取り画素と補間後の画素の濃度の関係を示すものである。
　以下第４図を用いて隣り合う２つの画素から内分法により４画素を作る補間処理を説明する。
　光電変換素子より主走査方向にＸ１、Ｘ２、・・・が読み取られ、Ａ／Ｄ変換されて各画素の濃度に応じた多値データが得られる。
　今Ｘ１の濃度をＤＸ１、Ｘ２の濃度をＤＸ２とすると補間により得られる画素Ｙ１、Ｙ２、Ｙ３、Ｙ４の濃度は各点でのＤＸ１とＤＸ２を結んだ線分との交点で表わされるから、それぞれＤＹ１、ＤＹ２、ＤＹ３、ＤＹ４とすると、これらの濃度は、
　ＤＹ１＝ＤＸ１、
　ＤＹ２＝３／４・ＤＸ１＋１／４・ＤＸ２、
　ＤＹ３＝２／４・ＤＸ１＋２／４・ＤＸ２、
　ＤＹ４＝１／４・ＤＸ１＋３／４・ＤＸ２、
となる。
　以上のようにして隣り合う２つの画素から４画素を補間処理による作ることができる。これを繰返し１ライン分の補間データを得る。
　上記の動作を本実施例に採用するとすれば、まずラインメモリを複数個設ける。このラインメモリのうち１個に原画像データを１ライン分記憶させる。そして原画像データを読み出して上記補間処理を行いながら他のラインメモリに補間データを記憶させる。以上の動作を書き込み制御手段で行わせる。次に、この例ではデータが原画像の４倍になっているので、読み出しの際にアップカウンタ１０ｂを４倍のステップでアップカウントし、乗算器１０ｃに与えられるアドレス値を０００ｈ、００４ｈ、００８ｈ・・・というふうに出力するようにし、最大アドレス値発生手段１０ｄから発生される最大アドレス値を４倍にすればよい。
　このような補間処理をすると変倍率が大きい場合や小さい場合でも滑らかな変倍画像が得られる。
　この例では補間により２画素から４画素を作成したが、２画素から３画素を作成するなど様々な種類の処理が考えられる。
　また本実施例では副走査駆動手段の基準速度を等倍時の速度にしたが、実際には速度とトルクの関係から最小縮小変倍時の速度を基準速度とするほうがよい。
　以上説明したように本実施例ではラインメモリに書き込み制御手段により順次アドレスを与えて１ライン分の原画像データを一旦記憶し、その後読み出し制御手段によりあらかじめ変倍率設定手段に設定された変倍率に応じたアドレスを与えて変倍画像データを読み出し主走査方向の変倍をし、副走査駆動手段を変倍率に応じた速度にＰＬＬ制御して副走査方向の変倍をすることにより、簡単な構成で任意の変倍率の変倍画像を得ることができる。
発明の効果
　以上説明したように、本発明によればラインメモリに書き込み制御手段により順次アドレスを与えて１ライン分の原画像データを一旦記憶するとともにこのラインメモリから原画像データを読み出し、隣合う２つの画素から内分法により３画素以上の画素データを作成して他のラインメモリにこの補間データを記憶する。その後読み出し制御手段によりあらかじめ変倍率設定手段に設定された変倍率に応じたアドレスを与えて変倍画像データを読み出し主走査方向の変倍をし、副走査駆動手段を変倍率に応じた速度にＰＬＬ制御して副走査方向の変倍をすることにより、簡単な構成で任意の変倍率の変倍画像を得ることができるとともに、変倍率が大きい場合や小さい場合でも滑らかな変倍画像を得ることができるので実用的効果は大きい。
【図面の簡単な説明】
第１図は本発明の一実施例における原稿読み取り装置のブロック図、第２図は同装置の動作を説明するタイミング図、第３図は同装置における変倍の動作を詳しく説明するラインメモリの内部状態を示す図、第４図は主走査方向の補間処理を説明する線図である。
１……原稿、２……光学系ユニット、３……Ａ／Ｄ変換器、４……第１の切替え手段、５……ラインメモリ、６……出力装置、７……第２の切替え手段、８……書き込み制御手段、９……変倍率設定手段、１０……読み出し制御手段、ｌｌ……副走査駆動制御手段、１２……副走査駆動手段。